(57)【要約】【課題】本発明は、例えば、コンクリート構造物における止水構造に係り、止水構造の作業低減及び効率的な構築が課題である。【解決手段】コンクリート構造物の水平方向の止水作用をする止水構造であって、水平な平板状の支持板２ａと該支持板の片側端部から一体にして上下方向に設けられた平板状の止水本体２ｂとからなる止水板２と、該止水板２を上下方向に高さ調節自在にして支持するとともに下部コンクリート構造体に埋設される支持部材３とから構成され、前記止水本体２ｂの上部が前記下部コンクリート構造体２５の上面から突出されていることとした止水構造とする。【選択図】    図１
2004238976.tif 000002
【特許請求の範囲】
【請求項１】
コンクリート構造物の水平方向の止水作用をする止水構造であって、水平な平板状の支持板と該支持板の片側端部から一体にして上下方向に設けられた平板状の止水本体とからなる止水板と、該止水板を上下方向に高さ調節自在にして支持するとともに下部コンクリート構造体に埋設される支持部材とから構成され、前記止水本体の上部が前記下部コンクリート構造体の上面から突出されていること、
を特徴とするコンクリート構造物における止水構造。
【請求項２】
支持部材のねじ部を挿通させるように支持板に設けられた孔部が、止水板の列設方向に移動調節可能にする長孔となっていること、
を特徴とする請求項１に記載のコンクリート構造物における止水構造。
【発明の詳細な説明】
【０００１】
【発明の属する技術分野】
本発明は、コンクリート構造物における止水構造に係り、詳しくは、例えば、バルコニー等の構造スリットにおける、止水構造の作業低減及び効率的な構築が可能なコンクリート構造物における止水構造に関する。
【０００２】
【従来の技術】
従来において、中高層の集合住宅等のコンクリート構造物における、バルコニー等の外部に面する場所には、雨水の浸入に対する防錆対策として止水構造が必要である。その止水構造としては、例えば、図１０示すように、バルコニー２１と室内２２との境界に、コンクリートの立上がり部２０を作成したり、図１１に示すように、壁２３等との接続用のアンカー筋２４を下部構造体（梁）２５に設けたりしている。
【０００３】
前記止水用のコンクリートの立上がり部２０を形成するために、例えば、凹状金物を用意して該金物の両外面に側板を設けて、当該側板の間にコンクリートを打設して一体化させる構築方法が知られている（例えば、特許文献１参照。）。
【０００４】
【特許文献１】
特開２００２−２３５４３９号公報（第２頁、第４図〜第７図）
【０００５】
【発明が解決しようとする課題】
しかしながら、上記のような構造スリットの部分において、コンクリートの立ち上がり部を構築するために、下部コンクリート躯体を構築した後に、型枠を配設しなければならないので、その型枠組立作業が繁雑で手間が掛かり、また、その立ち上がり部用の型枠を、他に転用することができず不経済と成る。更に、プレキャストコンクリートでコンクリート立ち上がり部を形成する方法では、多種多様な構造物への使用に対応することが困難である。本発明に係るコンクリート構造物の止水構造は、このような課題を解消するために提案されたものである。
【０００６】
【課題を解決するための手段】
上記課題を解決するために、本発明に係るコンクリート構造物における止水構造の要旨は、コンクリート構造物の水平方向の止水作用をする止水構造であって、水平な平板状の支持板と該支持板の片側端部から一体にして上下方向に設けられた平板状の止水本体とからなる止水板と、該止水板を上下方向に高さ調節自在にして支持するとともに下部コンクリート構造体に埋設される支持部材とから構成され、前記止水本体の上部が前記下部コンクリート構造体の上面から突出されていることである。
【０００７】
前記支持部材のねじ部を挿通させるように支持板に設けられた孔部が、止水板の列設方向に移動調節可能にする長孔となっていることを含むものである。
【０００８】
本発明に係るコンクリート構造物における止水構造によれば、構造スリットにおいて、下部コンクリート構造体から上部コンクリート構造体に亘って、上下方向に立設された止水板が設けられるので、雨水の侵入が阻止される。よって、下部コンクリート構造物に対して、型枠を別途に作成してコンクリートの打継ぎによって立上げ部を形成するという手間の掛かる作業が省かれるようになる。また、コンクリート打継ぎ部には窓部の風圧によりひび割れが入りやすく、そこから雨水が浸入するおそれがあるが、本発明の止水構造によれば、そのような漏水が防止される。
前記止水板の型枠内における設置作業においても、上下方向に調節することができるので、多種多様なコンクリート構造物に容易に対応させることができる。
【０００９】
更に、前記支持部材のねじ部を挿通させるように支持板に設けられた孔部が、止水板の列設方向に移動調節可能にする長孔となっているので、隣接する止水板の設置作業が容易となる。
【００１０】
【発明の実施の形態】
次に、本発明に係るコンクリート構造物の構造スリットにおける水平なスリット部分の止水構造について、図面を参照して説明する。なお、発明の理解を容易にするため、従来例に対応する部分には従来例と同一の符号を付けて説明する。
【００１１】
本発明に係る止水構造１は、図１乃至図２に示すように、例えば、バルコニー部分のような水平スリットにおいて、コンクリート構造物の水平方向の止水作用をする止水構造であって、水平な平板状の支持板２ａと該支持板２ａの片側端部から一体にして上下方向に設けられた平板状の止水本体２ｂとからなる金属製の止水板２が設けられる。
【００１２】
更に、前記止水板２を上下方向に高さ調節自在にして支持するとともに下部コンクリート構造体（スラブ８、梁２５等）に埋設される支持部材３とから構成される。
【００１３】
前記止水本体２ｂの上部２ｃが、前記下部コンクリート構造体２５の上面（天端）２５ａから上に突出されている。
【００１４】
また、図３に示すように、支持部材３のねじ部３ａを挿通させるように、支持板２ａに上下方向に貫通させて設けられた孔２ｄが、止水板２の列設方向に移動調節可能にする長孔（ルーズホール）となっている。なお、この止水本体２ｂには、防錆用の養生材として、例えば、図示した範囲で長手方向に沿って、ブチルシート４を貼着しておくものである。
【００１５】
前記支持部材３は、図２に示すように、水平なプレート３ｂと、該プレートに上下方向に設けられるボルト３ｃとからなる。このボルト３ｃを螺着する袋ナット３ｄは、前記プレート３ｂの下面で所定の位置に、例えば、溶接等の手段で固着されている。
【００１６】
また、前記プレート３ｂは、その左右両端部３ｅが型枠５（例えば、梁用型枠）に架設されて横架される。その際に、前記プレート３ｂの両端部３ｅが釘等で固定される。型枠５の上に止水板２と支持部材３とを載置した状態が図４に示す状態である。
【００１７】
前記支持部材３及び止水板２の取付施工手順を図５乃至図８を参照して説明する。まず、図５に示すように、梁等の型枠５に、プレート３ｂを横架させる。そして、釘等で固定する。
【００１８】
次ぎに、図６に示すように、スラブ配筋６を施工し、ボルト３ｃを前記プレート３ｂの袋ナット３ｄにねじ込んで、螺着させる。これで、ボルト３ｃがプレート３ｂに立設される。
【００１９】
次ぎに、図７に示すように、前記ボルト３ｃのねじ部３ａに、長孔に形成された孔２ｄを通して、支持板２ａをその上下において、ナット７ａ，７ｂで挟装して緊結する。前記ナット７ａ，７ｂによって、前記支持板２ａの上下方向の高さ位置を、スラブの天端（図中に破線で示す）と面一となるように合わせて調節する。こうして、止水板２がセットされる。なお、互いに隣接する止水板２の連接部において、その列設（長手）方向の調整は、前記長孔の孔２ｄにより、止水板２を移動させて調節するものである。
【００２０】
その後、図８に示すように、下部コンクリート構造体を形成するスラブコンクリート８を打設して、それが硬化した後に、図示のように、水平スリットとしてロックウール９とポリエチレン発泡体１０を前記止水板２に敷設する。そして、図１に示すように、壁用型枠をセットし、コンクリートを打設して、上部の壁２３を構築する。その下部には、止水材１１をコーキングする。
【００２１】
このような、手順により、下部コンクリート構造体２５であるスラブの上面である天端２５ａから、上に突出する止水板２により、例えば、バルコニー等の構造スリットのある部分において、外部からの雨水が、室内側へ浸入するのを防止するものである。
【００２２】
本発明の第２実施例について説明する。図９に示すように、下部コンクリート構造体においてスラブ８部分とバルコニー８ａ部分との厚さが異なる場合には、型枠５の左右において段差が形成される。そこで、前記支持部材３においては、プレート３ｂの右側の端部３ｅに、Ｌ字型の支持アングル１２を固着させて、これにより、プレト３ｂを水平に横架させるものである。
【００２３】
前記支持アングル１２と端部３ｅとの接続には、例えば、溶接による溶着で固定する場合、若しくは、前記端部３ｅと支持アングル１２とを一体に形成する場合等があり、公知の接続技術で行うものである。
【００２４】
前記支持アングル１２の下部１２ａに前記端部３ｅを固定した後に、水平な上部１２ｂによって型枠５の上面に乗せて、該上部１２ｂと下部１２ａとに釘等を打ち込んで型枠５に、プレート３ｂを水平に固定するものである。このように、バルコニーとスラブとの厚さが異なる場合の段差に対しては、支持部材３において、Ｌ字形のアングルを設けることで対応するものである。
【００２５】
【発明の効果】
上記説明したように、本発明に係るコンクリート構造物における止水構造は、コンクリート構造物の水平方向の止水作用をする止水構造であって、水平な平板状の支持板と該支持板の片側端部から一体にして上下方向に設けられた平板状の止水本体とからなる止水板と、該止水板を上下方向に高さ調節自在にして支持するとともに下部コンクリート構造体に埋設される支持部材とから構成され、前記止水本体の上部が前記下部コンクリート構造体の上面から突出されているので、止水性能が確保されると共に、前記止水板がスラブコンクリートの打設の目安になる。また、従来例におけるアンカー筋の代わりとなり、止水用のコンクリートの立上がりを形成する面倒な手間が省けて、止水作業の低減と効率的な構築を達成することができる、と言う優れた効果を奏するものである。
【００２６】
前記支持部材のねじ部を挿通させるように支持板に設けられた孔部が、止水板の列設方向に移動調節可能にする長孔となっているので、止水板の列設（長手）方向における連接作業が容易となるものである。
【図面の簡単な説明】
【図１】本発明に係るコンクリート構造物における止水構造１を示す正面図である。
【図２】同本発明に係るコンクリート構造物における止水構造１の要部を示す正面図である。
【図３】同本発明に係るコンクリート構造物における止水構造１の、止水板２の一部斜視図である。
【図４】同本発明に係るコンクリート構造物における止水構造１の実施例を示す斜視図である。
【図５】同本発明に係るコンクリート構造物における止水構造１の施工手順を示す説明図である。
【図６】同本発明に係るコンクリート構造物における止水構造１の施工手順を示す説明図である。
【図７】同本発明に係るコンクリート構造物における止水構造１の施工手順を示す説明図である。
【図８】同本発明に係るコンクリート構造物における止水構造１の施工手順を示す説明図である。
【図９】同本発明に係るコンクリート構造物における止水構造１の第２実施例に係る正面図である。
【図１０】従来例に係る止水構造を示す説明図（Ａ），（Ｂ）である。
【図１１】同従来例に係る止水構造の一部拡大正面図である。
【符号の説明】
１  コンクリート構造物における止水構造、
２        止水板、                ２ａ        支持板、
２ｂ      止水本体、              ２ｃ        上部、
２ｄ      孔、                    ３          支持部材、
３ａ      ねじ部、                ３ｂ        プレート、
３ｃ      ボルト、                ３ｄ        袋ナット、
３ｅ      端部、                  ４          ブチルシート、
５        型枠、                  ６          スラブ配筋、
７ａ，７ｂ  ナット、              ８          スラブコンクリート、
９        ロックウール、          １０        ポリエチレン発泡体、
１１      止水材、                １２        支持アングル、
２０        立上がり部、
２１      バルコニー、            ２２        室内、
２３      壁、                    ２４        アンカー筋、
２５      下部コンクリート構造体、２５ａ    天端。
【図１】
2004238976.tif 000003
【図２】
2004238976.tif 000004
【図３】
2004238976.tif 000005
【図４】
2004238976.tif 000006
【図５】
2004238976.tif 000007
【図６】
2004238976.tif 000008
【図７】
2004238976.tif 000009
【図８】
2004238976.tif 000010
【図９】
2004238976.tif 000011
【図１０】
2004238976.tif 000012
【図１１】
2004238976.tif 000013